(57)【要約】【課題】  デジタル記録方式の記録媒体を再生する再生装置において、アナログレコードプレーヤに近い操作で音声信号を変更する再生装置を提供する。【解決手段】  本発明の再生装置は、モータと、前記モータを所定の回転数で回転するように制御駆動するモータ駆動部と、前記モータによって回転駆動され、外部から押圧力又は回転力を与えることによって回転を加速又は減速又は停止又は逆回転可能であるターンテーブルと、前記ターンテーブルの回転速度を検出し、回転速度情報を出力する回転速度検出部と、デジタル音声信号が記録された記録媒体から前記回転速度情報に応じた再生速度で前記音声信号を再生する信号再生部と、前記回転速度に応じて前記音声信号を変更する音声信号変更部と、を有する。【選択図】    図１
2005346773.tif 000002
【特許請求の範囲】
【請求項１】
モータと、
前記モータを所定の回転数で回転するように制御駆動するモータ駆動部と、
前記モータによって回転駆動され、外部から押圧力又は回転力を与えることによって回転を加速又は減速又は停止又は逆回転可能であるターンテーブルと、
前記ターンテーブルの回転速度を検出し、回転速度情報を出力する回転速度検出部と、
デジタル音声信号が記録された記録媒体から前記回転速度情報に応じた再生速度で前記音声信号を再生する信号再生部と、
前記回転速度に応じて前記音声信号を変更する音声信号変更部と、
を有することを特徴とする再生装置。
【請求項２】
モータと、
前記モータを所定の回転数で回転するように制御駆動するモータ駆動部と、
前記モータによって回転駆動され、外部から押圧力又は回転力を与えることによって回転を加速又は減速又は停止又は逆回転可能であるターンテーブルと、
前記ターンテーブルの回転速度を検出し、回転速度情報を出力する回転速度検出部と、
デジタル音声信号が記録された記録媒体から前記回転速度情報に応じた再生速度で前記音声信号を再生する信号再生部と、
前記回転速度に応じて前記音声信号に音を追加する音声信号変更部と、
を有することを特徴とする再生装置。
【請求項３】
前記音声信号変更部は、複数のエフェクトタイプを記憶し、操作者により選択されたエフェクトタイプに応じて、再生された前記音声信号を変更することを特徴とする請求項１または請求項２に記載の再生装置。
【請求項４】
記憶媒体の固有情報から導出された記憶媒体識別情報と、エフェクトタイプと、を対応付けたテーブルを記憶する記憶部を更に有し、
前記記憶媒体は取り換え可能であって、
前記特性変更部は、音声信号を再生する前記記憶媒体の固有情報から記憶媒体識別情報を導出し、その記憶媒体識別情報に基づいて前記テーブルからエフェクトタイプを読み出し、そのエフェクトタイプに基づいて再生された前記音声信号を変更することを特徴とする請求項３に記載の再生装置。
【請求項５】
前記テーブルが、更に前記記録媒体識別情報に対応付けて、その記憶媒体から再生した音声信号を変更するためにテーブルに記載されたエフェクトタイプを読み出した最後の時、又は前記最後の時から現在までにその記憶媒体以外の記憶媒体から再生した音声信号を変更するためにテーブルに記載されたエフェクトタイプを読み出した回数を示すインデックス値を記憶し、
前記記憶部に新たな情報を書き込むための記録領域が不足する時、前記インデックス値に基づいて、前記最後の時が最も古い記録媒体識別情報、又は前記回数が最も多い記録媒体識別情報を検索し、その記録媒体識別情報の記録領域に新たな情報を書き込む、
ことを特徴とする請求項４に記載の再生装置。
【請求項６】
外部から押圧力又は回転力を与えることによって回転を加速又は減速又は停止又は逆回転可能であるターンテーブルを所定の回転数で回転駆動するステップと、
前記ターンテーブルの回転速度を検出し、回転速度情報を出力する回転速度検出ステップと、
デジタル音声信号が記録された記録媒体から前記回転速度情報に応じた再生速度で前記音声信号を再生する信号再生ステップと、
前記回転速度に応じて前記音声信号を変更する音声信号変更ステップと、
を有することを特徴とする再生方法。
【発明の詳細な説明】
【技術分野】
【０００１】
本発明は、音声信号を加工して再生する再生装置及び再生方法に関する。
【背景技術】
【０００２】
ＬＰレコード（Long Playing Record）等のアナログレコードは、針がアナログレコードの面に刻まれたＶ字溝に沿って走査し表面の凹凸を感知することによって再生音を発する。従来、ディスクジョッキー（ＤＪ）が、アナログレコードプレーヤでアナログレコードを再生しながら、回転しているターンテーブルに手操作等により回転力又は押圧力を加えて回転速度を強制的に変化させることにより、いわゆるスクラッチ音（アナログレコードの回転速度を標準回転速度から急速に変化させた時にアナログレコードから再生される音）を出力させる演奏方法（以下「ＤＪプレイ」と呼ぶ）が知られている。
【０００３】
デジタル技術の進展に伴い、ＣＤ（Compact Disk）やＤＶＤ（Digital Video Disk）等のデジタル記録方式の記録媒体が普及し、アナログレコードの市場は縮小しつつある。しかし、レコードと比較してはるかにディスクが高速回転し、高精度の光ピックアップ（又は磁気ヘッド）の制御を必要とするデジタル記録媒体において操作者が手でディスクを操作することはできないこと、及び誤り訂正符号化されたデータが分散記録されたデジタル記録媒体を往復運動させて音声信号の変化音（スクラッチ音の発生等）を再生することは出来ないこと等の理由により、ＣＤやＤＶＤ等のデジタル式記録媒体を用いて上記のＤＪプレイを行うことは不可能である。
【０００４】
音声信号が記録されたＣＤ及びＤＶＤ等のデジタル記録方式の記録媒体を用いた再生装置において、ＤＪプレイに近似したプレイを可能にする従来例の再生装置が、特開２００２−３４３０２６号公報（特許文献１）及び特開２００２−３５２５１３号公報（特許文献２）に開示されている。
【０００５】
従来例の再生装置は、回動自在なジョグダイヤルと、ジョグダイヤルに掛かる押圧力を検知する圧力検知部とを有し、停止した状態のジョグダイヤルを回動させ、及び、ジョグダイヤルの上面を押圧することによって、ジョグダイヤルの回動量と圧力検知部が検知した押圧力とに応じて、記録媒体からの音声信号の再生速度を変化させるものである。これにより、ＣＤ及びＤＶＤ等のデジタル記録方式の記録媒体を用いて、アナログレコードの回転速度を変化させた時のように、音声信号の再生速度を可変することができる。
【特許文献１】特開２００２−３４３０２６号公報
【特許文献２】特開２００２−３５２５１３号公報
【発明の開示】
【発明が解決しようとする課題】
【０００６】
しかしながら、従来例の再生装置は、ジョグダイヤルの上面を押圧しつつ停止中のジョグダイヤルを操作して演奏するものであり、アナログレコードプレーヤのターンテーブルを操作する時の操作感とは大きく異なり、アナログレコードプレーヤでの操作に慣れ親しんだユーザにとっては違和感を感じるものである。
【０００７】
また、アナログレコードプレーヤの出力信号は、多くの場合、他の１又は複数の機器からの音声信号とともにミキサに入力される。操作者（例えばＤＪ）は、ＤＪプレイ時にアナログレコードプレーヤを操作すると共に、ミキサをも操作し、夫々の音声信号の音量を制御しながらミキシングすることによって、各音声信号の音量の大小やバランス等を変化させ、再生音に様々な効果を付加する。従来例の音響システムにおいては、アナログレコードプレーヤによる音声信号の変化（スクラッチ音の発生等）と、ミキサ等の他の機器の操作によるその音声信号の変化又は他の音声信号の付加は、各機器において別個独立に処理されていた。熟練したＤＪは、複数の機器を有機的に関連付けながら操作し、独創的な演奏（ＤＪプレイ）を行っていた。
【０００８】
デジタル記録方式の記録媒体を用いた再生装置において、アナログレコードプレーヤによるＤＪプレイと同様又は類似の変化（スクラッチ音の発生等）を再生信号に与えることと、更にエフェクトを与えるためにその音声信号を変化させ又は他の音声信号を付加することと、を有機的に関連付けて自動的に実行すれば、熟練していないユーザも熟練者同様の演奏を楽しむことができる。熟練したＤＪは、再生装置及びミキサ等の機器の操作負担が軽減されるので、従来では手が回らなかった他の機器を更に操作することにより、従来では不可能であった複雑な演奏を行うことができ、創造的演奏の幅を広げることができる。
【０００９】
本発明は、ＣＤ及びＤＶＤ等のデジタル記録方式で記録された記録媒体を再生する再生装置及び再生方法において、自走するターンテーブルの回転速度を変更して操作することにより、アナログレコードプレーヤに近い操作感を実現する再生装置及び再生方法を提供することを目的とする。
【００１０】
本発明は、操作者によるアナログレコードプレーヤとほぼ同様の操作に応じて、デジタル記録方式の記録媒体から音声信号を再生し、その操作に有機的に関連させて、再生された音声信号に種々のエフェクトを自動的に施す再生装置及び再生方法を提供することを目的とする。
【課題を解決するための手段】
【００１１】
上記問題を解決するために、本発明は以下の構成を有する。請求項１に記載の発明は、モータと、前記モータを所定の回転数で回転するように制御駆動するモータ駆動部と、前記モータによって回転駆動され、外部から押圧力又は回転力を与えることによって回転を加速又は減速又は停止又は逆回転可能であるターンテーブルと、前記ターンテーブルの回転速度を検出し、回転速度情報を出力する回転速度検出部と、デジタル音声信号が記録された記録媒体から前記回転速度情報に応じた再生速度で前記音声信号を再生する信号再生部と、前記回転速度に応じて前記音声信号を変更する音声信号変更部と、を有することを特徴とする再生装置である。
【００１２】
本発明によれば、ＣＤ（CompactDisc）やＤＶＤ（Digital Video Disc）等に記録されたデジタル音声信号を再生する場合に、記録媒体の駆動機構と別個に設けたターンテーブルの回転速度の変化に応じて、信号再生部が記録媒体から音声信号を読み出す速度を調節し、及び、読み出した音声信号に回転速度に応じた変更を施すことにより、ディスクジョッキー（ＤＪ）があたかもアナログレコードの回転速度を手で強制的に変化させ、それに有機的に関連させてミキサ等の他の機器を操作したかのような再生音を、接続したスピーカ等から出力することが可能となる。
【００１３】
本発明によれば、所定の速度で回転するターンテーブルにディスクジョッキー（ＤＪ）等のユーザが与える押圧力又は回転力に応じてその回転速度を可変できるため、ユーザはあたかもターンテーブルをアナログレコードそのものであるかのように扱うことができ、アナログレコードでの演奏に慣れ親しんだユーザを満足させるものである。
【００１４】
また、ターンテーブルの回転速度の変化及び回転方向に応じて、読み出した音声信号に所定の変更処理を施すことにより、ディスクジョッキー（ＤＪ）があたかもアナログレコードプレーヤを操作しながらミキサをも操作しているかのような、様々な効果（例えば、音量調節やバランス調節等）を自動的に付加することができ、アナログレコードプレーヤとミキサとを併用する高度なＤＪプレイ技法を、簡易に実現することができる。
【００１５】
回転速度検出部の構成は任意である。例えば、外周に沿って多数のスリットを配設した円板をターンテーブルと同軸に配設し、発光ダイオードとフォトトランジスタとからなる光カプラによってスリットを通過する光を検出し、所定時間内のパルス数をカウントすることによってターンテーブルの回転方向と回転速度とを検出する。又は例えば、外周に沿って多数の磁極を着磁した円板状の磁石をターンテーブルと同軸に配設し、磁界又は磁束を検出する磁気検出素子によって磁極の移動を検出し、所定時間内のパルス数をカウントすることによってターンテーブルの回転方向と回転速度とを検出する。
【００１６】
好ましくは、更に下記の構成とする。ターンテーブルの大きさはアナログレコードプレーヤのターンテーブルと同じ大きさにする。即ちターンテーブルの径を、アナログレコードの直径よりも大きな径とする。ターンテーブルの回転数をアナログレコードプレーヤのターンテーブルの回転数と同一（典型的には４５ｒｐｍ又は３３＋（１／３）ｒｐｍ）にする。ターンテーブルのモータトルクをアナログレコードプレーヤのターンテーブルと同じに設定する。これにより、ユーザは更にアナログレコードプレーヤに近い操作感を得ることができる。
【００１７】
デジタル音声信号が記録された記録媒体は任意である。例えばＣＤ、ＤＶＤ、ＭＯ、ＭＤ等の再生専用、追記型又は書き替え可能で取り替え可能な光、光磁気又は磁気ディスク、ＳＤカード、メモリスティック等の半導体メモリ、取り替えできないハードディスク、チューナから取り込んだ音楽等を記憶するＲＡＭ等である。
再生装置は、記録機能を有していても良い。
【００１８】
請求項２に記載の発明は、モータと、前記モータを所定の回転数で回転するように制御駆動するモータ駆動部と、前記モータによって回転駆動され、外部から押圧力又は回転力を与えることによって回転を加速又は減速又は停止又は逆回転可能であるターンテーブルと、前記ターンテーブルの回転速度を検出し、回転速度情報を出力する回転速度検出部と、デジタル音声信号が記録された記録媒体から前記回転速度情報に応じた再生速度で前記音声信号を再生する信号再生部と、前記回転速度に応じて前記音声信号に音を追加する音声信号変更部と、を有することを特徴とする再生装置である。
【００１９】
本発明によれば、ＣＤやＤＶＤ等に記録されたデジタル音声信号を再生する場合に、記録媒体の駆動機構と別個に設けたターンテーブルの回転速度の変化に応じて、信号再生部が記録媒体から音声信号を読み出す速度を調節し、及び、読み出した音声信号に回転速度に応じた音を追加することにより、ディスクジョッキー（ＤＪ）があたかもアナログレコードの回転速度を手で強制的に変化させ、それに有機的に関連させてミキサ等の他の機器を操作したかのような再生音を、接続したスピーカ等から出力することが可能となる。
【００２０】
追加する音は任意である。例えば、「プチプチ」というアナログレコードのノイズを回転速度に応じて追加する。これにより、あたかもアナログレコードプレーヤで再生したかのような音質を実現することができ、アナログレコードプレーヤの再生音に慣れ親しんだユーザを満足させるものである。
【００２１】
請求項３に記載の発明は、前記音声信号変更部は、複数のエフェクトタイプを記憶し、操作者により選択されたエフェクトタイプに応じて、再生された前記音声信号を変更することを特徴とする請求項１または請求項２に記載の再生装置である。
【００２２】
本発明は、例えばアナログレコードプレーヤの種々の針（カートリッジ）の特性を再現するような、複数の予め用意されたエフェクトタイプを記憶し、その中からユーザが所望のエフェクトタイプを選択可能とする。ユーザはエフェクトタイプを選択することにより、あたかもアナログレコードプレーヤのカートリッジを取り替えたかのような効果を得ることができ、再生音にヴァリエーションを与えることができる。
エフェクトタイプは任意である。例えば上記のエフェクトタイプの他、再生された音声信号と他の所定の音声信号との音量やバランスを制御することによってミキサの操作による効果等のＤＪプレイ技法を擬似的に再現するもの、音声信号の周波数対ゲイン特性を変更するもの、音声信号に所定の音を追加するもの等が考えられる。
【００２３】
請求項４に記載の発明は、記憶媒体の固有情報から導出された記憶媒体識別情報と、エフェクトタイプと、を対応付けたテーブルを記憶する記憶部を更に有し、前記記憶媒体は取り替え可能であって、前記特性変更部は、音声信号を再生する前記記憶媒体の固有情報から記憶媒体識別情報を導出し、その記憶媒体識別情報に基づいて前記テーブルからエフェクトタイプを読み出し、そのエフェクトタイプに基づいて再生された前記音声信号を変更することを特徴とする請求項３に記載の再生装置である。
【００２４】
本発明によれば、記録媒体の固有情報（例えばトラック情報）を用いて所定の演算を行うことにより、記録媒体を識別するための識別ＩＤを生成する。更に、その識別ＩＤと対応付けて選択されたエフェクトタイプを記憶部に記憶させることにより、次回、同じ記録媒体が再生された場合に、記憶部の記憶情報から識別ＩＤを検索し、前回と同じエフェクトタイプを読み込んで選択させることができる。本発明の再生装置においては、過去に再生した記録媒体を次に再生する場合にエフェクトタイプの設定を行う必要がない。
【００２５】
請求項５に記載の発明は、前記テーブルが、更に前記記録媒体識別情報に対応付けて、その記憶媒体から再生した音声信号を変更するためにテーブルに記載されたエフェクトタイプを読み出した最後の時、又は前記最後の時から現在までにその記憶媒体以外の記憶媒体から再生した音声信号を変更するためにテーブルに記載されたエフェクトタイプを読み出した回数を示すインデックス値を記憶し、前記記憶部に新たな情報を書き込むための記録領域が不足する時、前記インデックス値に基づいて、前記最後の時が最も古い記録媒体識別情報、又は前記回数が最も多い記録媒体識別情報を検索し、その記録媒体識別情報の記録領域に新たな情報を書き込む、ことを特徴とする請求項４に記載の再生装置である。
【００２６】
記憶部の記憶容量の限られた再生装置において、記録媒体識別情報と、その記憶媒体から音声信号を再生するときに適用したエフェクトタイプと、を新たに記憶する記憶領域がなくなってしまう場合がある。そのような場合、本発明の再生装置は、最も長い間アクセスされなかった記録媒体に関する情報を廃棄し、その情報が記憶されていた記憶領域に新たな記録媒体に関する情報を記録する。最も長い間使用されていない記録媒体を検出できるように、本発明の再生装置は、テーブルにインデックス値（その名称は任意である。）を記憶する。インデックス値を参照することによって、最もアクセスの古い記録媒体情報を上書きすることを可能とする。
【００２７】
例えば、記録媒体を認識する度に、その記録媒体を表す記録媒体識別情報と対応付けられたインデックス値を初期値（例えば「０」）にリセットし、それ以外のインデックス値に所定値（例えば「１」）を加算する。これにより、インデックス値が大きいほど、対応する記憶媒体へのアクセスが古いことが示される。
【００２８】
本発明は、更に上記の再生装置と実質的に同一で同一の効果を生じる再生方法を実現できるという作用を有する。
【発明の効果】
【００２９】
本発明によれば、ＣＤやＤＶＤ等に記録されたデジタル音声信号を再生する場合に、ディスクジョッキー（ＤＪ）等のユーザによって自走するターンテーブルに加えられた押圧力又は回転力による回転速度の変化及び回転方向に応じて、読み出した音声信号に所定の変更処理を施すことにより、あたかもアナログレコードプレーヤを操作しているかのような操作感が得られる再生装置及び再生方法を実現できるという有利な効果が得られる。
【００３０】
本発明によれば、ユーザによるアナログレコードプレーヤとほぼ同様の操作に応じて、デジタル記録方式の記録媒体から音声信号を再生し、その操作に有機的に関連させて、再生された音声信号に種々のエフェクトを自動的に施す再生装置及び再生方法を実現できるという有利な効果が得られる。
本発明によれば、ターンテーブルに加えられた押圧力又は回転力による回転速度の変化及び回転方向に応じて、音声信号を変更し又は音を追加することによって、例えば、アナログレコードプレーヤを操作すると共にミキサを操作しているかのような効果等の様々な効果を付加することができる。
【００３１】
また更に、本発明によれば、記憶媒体から読み出したトラック情報を用いて、記憶媒体に固有の記録媒体識別情報を生成し、最後に設定されたエフェクトタイプを記録媒体識別情報に対応付けて記憶され、再生装置が次に同じ記録媒体識別情報を有する記録媒体を認識した時は、前回のエフェクトタイプを読み込む。これにより、過去に再生した記録媒体を次に再生する場合にエフェクトタイプの設定を行う必要がない、という有利な効果が得られる。
【発明を実施するための最良の形態】
【００３２】
以下本発明の実施をするための最良の形態を具体的に示した実施の形態について、図面とともに記載する。
【００３３】
《実施の形態》
図１〜図１５を用いて、本発明の実施の形態の再生装置及び再生方法について説明する。図１は、クラブ等で用いられる本発明の実施の形態のディスクジョッキー（ＤＪ）用再生装置の構成の概略を示す図である。本実施の形態の再生装置は、ＣＤプレーヤである。図１において、１は操作入力表示部、２は再生部、３はターンテーブル回転検知部、４は音声出力部（スピーカ）である。
【００３４】
操作入力表示部１は、操作入力部５、及び表示部６を有する。操作入力部５は、再生キー、停止キー、エフェクトの有効／無効を切り替えるためのエフェクト有効／無効切替キー、ユーザがエフェクトタイプを選択するためのエフェクトタイプ切替キー（各キーは図示しない）を有する。エフェクトが有効である場合、ターンテーブル１７の回転数変化に応じて再生された音声信号を後述の特性で変更する（ＤＪプレイ有効）。エフェクトが無効である場合、ターンテーブル１７の回転数変化にかかわらず、音声信号を変更しない（ＤＪプレイ無効）。表示部６は、記録媒体の再生状況、エフェクトの有効／無効、選択されているエフェクトタイプの数字・名称・特徴等を表示するための液晶表示パネルである。操作入力部５の各キーは、押下して入力するものでも接触により入力するものでも良く、またタッチパネル等の表示部６と一体化したものでも良い。エフェクトタイプの特徴とは、例えば周波数対ゲイン特性のグラフ、又はエフェクトを言葉で表示したもの等であり、エフェクトが無効に設定されている場合は何も表示しないか、又は無効であることを表す文字等を表示する。
【００３５】
音声出力部４は、再生部から入力される音声信号を出力する出力装置、スピーカである。音声出力部４は、再生装置の外部に接続されるものでも、内蔵されるものでも良い。
【００３６】
ターンテーブル回転検知部３は、ターンテーブル１７、第１のモータ１８、第１のモータ駆動部１９、及び回転速度検出部２０を有する。第１のモータ駆動部１９は再生部２の制御部１１からの指令を受け、第１のモータ１８を一定回転速度で回転させ又は停止させる。
【００３７】
図２は、ターンテーブル１７の概略的な平面図及び正面図である。ターンテーブル１７は、再生装置の筐体の上部に取り付けられている。ターンテーブル１７は、スリップ面２５を有する。ディスクジョッキー（ＤＪ）等のユーザは、スリップ面２５に対して押圧力又は回転力を加えて操作することによって、無負荷時（ユーザがスリップ面２５を操作していない時）に一定速度で回転しているターンテーブル１７の回転を加速又は減速又は停止又は逆回転可能である。
【００３８】
本実施の形態において、ターンテーブルの大きさはアナログレコードプレーヤのターンテーブルと同じ大きさにする。即ちターンテーブルの径を、アナログレコードの直径よりもやや大きな径とする。ターンテーブルの回転数はアナログレコードプレーヤのターンテーブルの回転数と同一（典型的には４５ｒｐｍ又は３３＋（１／３）ｒｐｍ）である。４５ｒｐｍと３３＋（１／３）ｒｐｍとは、操作入力部５のスイッチ（図示しない。）で切り替える。ターンテーブル１７の回転トルクをアナログレコードプレーヤのターンテーブルの回転トルクと同じに設定する。
【００３９】
次に、回転速度検出部２０を説明する。図３に回転速度検出部２０の詳細な構成のブロック図を示す。図３において、回転速度検出部２０は、光センサ３０及びパルスカウンタ３１を有する。一方、外周に沿って多数のスリットを配設した円板が、ターンテーブル１７と同軸に配設されている（図示しない。）。光センサ３０は、ターンテーブル１７とともに回転する円板の回転を検出可能な位置に設置され、互いに９０度位相のずれた位置に配設された２組の発光ダイオードとフォトトランジスタとからなる光カプラを有する。各光カプラは、ターンテーブル１７のスリット２３を通過する光を検出する。光カプラのフォトトランジスタは、所定量以上の光量を検出した時にＯＮ、それ以外の場合にＯＦＦとなる。光センサ３０を構成する２組の光カプラは、２相のパルス信号を出力する。
【００４０】
パルスカウンタ３１は、一定時間（例えば０．１秒）毎に、入力される２相のパルス信号のうちのいずれかのパルス信号の立ち上がりエッジをカウントする。また、Ｄフリップフロップを用いて、１相のパルス信号の立ち上がりエッジで他の１相のパルス信号をラッチすることにより、ターンテーブル１７が正方向回転であるか又は負方向回転であるかを判定することができる。パルスカウンタ３１は、一定時間が経過する毎にカウントしたパルス数と正方向回転か又は負方向回転かの情報（まとめて「回転速度情報」と呼ぶ。）とを再生部２の制御部１１に出力する。
【００４１】
回転速度検出部２０の構成は、本実施の形態の構成に限られず、任意である。例えば外周に沿って多数の磁極を着磁した円板状の磁石をターンテーブル１７と同軸に配設し、２個の磁界又は磁束を検出する磁気検出素子によって磁極の移動を検出し、所定時間内のパルス数をカウントすることによってターンテーブルの回転方向と回転速度とを検出する構成であっても良い。
【００４２】
再生部２は、第２のモータ８、第２のモータ駆動部９、光ピックアップ２２、信号再生部１０、制御部１１、特性変更部１２、記憶部１６、トラバースモータ駆動部２３、及びトラバースモータ２４を有する。
【００４３】
制御部１１は再生装置全体を制御する。制御部１１は、操作入力部５より種々の指令を入力し、ターンテーブル回転検知部３から回転速度情報を入力し、第１のモータ駆動部１９のＯＮ／ＯＦＦ指令を出力し、表示部６に表示指令を送り、再生部２を制御する。
【００４４】
制御部１１は、記録媒体７が装着された状態で、操作入力部５の再生キーが押下された場合、第２のモータ制御部９に回転を開始する指示を出力し、エフェクトが有効であれば、更に第１のモータ制御部１９に回転を開始する指示を出力し、信号再生部１０にテンポ信号に応じた読出速度制御信号を出力する。再生中に再度再生キーが押下された場合、制御部１１は、信号再生部１０に、音声信号の読み出し動作を停止する指示を出力する。
【００４５】
停止キーが押下された場合、制御部１１は、第１のモータ制御部１９及び第２のモータ制御部９に回転を停止する指示を出力する。取出しキーが押下された場合、制御部１１は、記録媒体７を再生装置の外部に排出するよう装着機構駆動ユニット（図示しない）に指示する。
【００４６】
制御部１１は、エフェクト有効／無効キーが押下された場合、エフェクトの有効／無効（ＤＪプレイの有効／無効）を切り替える。ＤＪプレイが有効である場合、ターンテーブル１７の回転数変化に応じて記録媒体７から読み出す音声信号の再生速度を変化させ、且つ再生された音声信号を後述の特性で変更させるよう、再生部２を制御する。再生時、制御部１１は、ＤＪプレイが無効である場合、ターンテーブル１７の回転数変化にかかわらず記録媒体７から一定の再生速度で音声信号を読み出し、平坦な（一定の）周波数対ゲイン特性で音声信号を増幅し、出力するよう、再生部２を制御する。
【００４７】
制御部１１は、テンポ算出部２１及び識別ＩＤ算出部１５を有する。本実施の形態において制御部１１はマイクロコンピュータであり、テンポ算出部２１及び識別ＩＤ算出部１５の機能は、プログラムによって実行される。
テンポ算出部２１は、回転速度検知部２０から入力した回転速度情報に基づいて、テンポ信号を生成する。テンポ信号は、入力された現在の単位時間当たりのパルス数をターンテーブルの標準回転速度（無負荷時の回転数）における単位時間当たりのパルス数で割った値に、ターンテーブルの回転方向が正回転か負回転かの情報を付した信号である。
【００４８】
制御部１１の識別ＩＤ算出部１５は、信号再生部１０から記録媒体に記録されている曲（トラック）のトラック情報を入力し、各トラックの演奏時間の秒数を用いて所定の演算を実行して識別ＩＤを生成する。相異なる２つの記録媒体で、各トラックの秒数が全て同じ値となる可能性は極めて少ない故に、識別ＩＤを記録媒体固有のＩＤ情報とみなすことができる。
【００４９】
制御部１１は、エフェクトタイプ切替キー（操作入力部５）が押下された場合、エフェクトタイプをタイプ１〜タイプ８の範囲で切り替える。エフェクトタイプ切替キーは１〜８に割り当てられたタイプを昇順に選択するプラスキーと、降順に選択するマイナスキーとを有する。プラスキーが押下されると一つ上の番号のタイプに切り替える。これに代えて、エフェクトタイプ切替キーが１つのキーのみを有し、サイクリックにタイプ１〜タイプ８を選択するものでも良い。
【００５０】
記憶部１６は、過去に認識された記録媒体７を表す識別ＩＤと、エフェクトの有効／無効と、その記録媒体７から読み出した再生信号に対して最後に設定したエフェクトタイプと、インデックス値とを対応付けたテーブルを記憶する。図９にテーブルの一例を示す。
【００５１】
記憶部１６の記憶容量は限られており、所定量以上の記録媒体情報を記憶することができない。記憶部１６に空き記録領域が無くなった場合、アクセスが最も古い記録媒体情報を廃棄し、その記録媒体情報が記録されている記録領域に新たな記録媒体情報を上書きすることが好ましい。制御部１１は、装着された記憶媒体７の識別ＩＤを認識する度に、テーブルに同一の識別ＩＤがあるか否かを調べ、同一の識別ＩＤがあれば、その識別ＩＤに対応するインデックス値を「０」にし、それ以外の識別ＩＤに対応するインデックス値に「１」を加算する。これにより、インデックス値が最大である記録媒体情報が最もアクセスが古いと判定できる。
【００５２】
これに代えて、記憶媒体から音声信号を再生してテーブルに記載されたエフェクトタイプを読み出した最後の日時をテーブルに書き込んでも良い。
テーブルに装着された記憶媒体７の識別ＩＤと同一の識別ＩＤがなければ、最もアクセスが古い記録媒体情報を廃棄し、その記録媒体情報が記録されている記録領域に新たな記録媒体情報を上書きする。
【００５３】
制御部１１は、特性変更部１２にエフェクト有効／無効信号、エフェクトタイプ信号、及びテンポ信号を出力する。
【００５４】
第２のモータ８は、着脱可能な記録媒体７（例えばＣＤ等）を回転させるスピンドルモータである。第２のモータ駆動部９は、制御部１１から指令に応じて、第２のモータ８の回転を開始し又は停止する。第２のモータ駆動部９は、制御部１１から指令に応じて、第２のモータ８の回転速度（記録媒体７から読み出す音声信号の再生速度）を変化させることができる。
【００５５】
トラバースモータ２４は、光ピックアップ２２をＣＤの半径方向に移動させるリニアモータである。トラバースモータ駆動部２３は、制御部１１から指令に応じて、トラバースモータ２４の駆動を開始し又は停止する。トラバースモータ駆動部２３は、制御部１１から指令に応じて、移動速度（記録媒体７から読み出す音声信号の再生速度）を変化させることができる。
【００５６】
光ピックアップ２２は、記録媒体７から音声信号とトラック情報とを読み出す。信号再生部１０は、光ピックアップ２２が読み出した誤り訂正符号化され圧縮された音声信号を誤り訂正復号化し伸長して出力し、トラック情報を誤り訂正して出力する。信号再生部１０は、復号化され伸長された音声信号を特性変更部１２へ、トラック情報を制御部１１へ各々出力する。また、制御部１１からの読出速度制御信号を受けて、正方向及び逆方向に任意の速度で音声信号を読み出すことが可能であり（所謂フォワード再生とリバース再生）、また、音声信号の読み出し速度を変更又は停止可能である。周知のように、リバース再生時であっても、第２のモータ８の回転方向が逆回転になることはなく、信号再生部１０は、内部のデータ処理によって、読み出した音声信号をあたかもアナログレコードを逆回転させた時のような、連続したリバース再生音を出力する。
【００５７】
ＤＪプレイを有効に設定して再生した時、信号再生部１０は、テンポ信号に応じた再生速度で、即ち無負荷時の回転数に対するターンテーブル１７の現在の回転数の比と記録速度とを掛け合わせた再生速度で、音声信号を記録媒体７から再生する。無負荷時の回転数に対するターンテーブル１７の現在の回転数の比と記録時のクロック速度とを掛け合わせたクロック速度で、音声信号が再生成される。従って、再生された音声信号は、原音（記録時の音声信号）から、無負荷時の回転数に対するターンテーブル１７の現在の回転数の比だけ周波数が変化している。
【００５８】
ＤＪプレイを無効に設定して再生した時、信号再生部１０は、ターンテーブル１７の回転数変化にかかわらず記録媒体７から一定の再生速度で音声信号を読み出して、出力する。
【００５９】
特性変更部１２は、ＲＩＡＡ特性処理部１３、及びエフェクト処理部１４とを有する。ＲＩＡＡ特性処理部１３は、制御部１１からテンポ信号と、エフェクト有効／無効信号とを入力し、信号再生部１０から音声信号を入力する。ＲＩＡＡ特性処理部１３は、制御部１１から入力された各信号に応じて、音声信号にＲＩＡＡ規格に基いた特性変更処理を施し、エフェクト処理部１４に出力する。エフェクト処理部１４は、制御部１１からテンポ信号と、エフェクト有効／無効信号と、エフェクトタイプ信号とを入力し、ＲＩＡＡ特性処理部１３から音声信号を入力する。エフェクト処理部１４は、制御部１１から入力された各信号に応じて、選択されたエフェクトタイプに対応する特性変更処理を音声信号に施し、音声出力部４に出力する。
【００６０】
エフェクト有効／無効信号は、エフェクトが有効か無効かを示す信号である。前記タイプ選択信号は、タイプ１からタイプ８までの８通りのエフェクトタイプのいずれか１タイプを示す信号である。ＲＩＡＡ特性処理部１３、及びエフェクト処理部１４についての詳細な動作は後述する。
【００６１】
ＤＪプレイを有効に設定して再生する時、制御部１１は、生成したテンポ信号に比例した再生速度を算出し、算出した読み出し速度を指示する読出速度制御信号を信号再生部１０に出力する。一般に、第２のモータ８及びトラバースモータ２４をＤＪプレイに合わせて駆動することはできない。信号再生部１０は、バッファメモリ（ＲＡＭ）を有し、あらかじめある程度バッファメモリに蓄積した音声信号を読出速度制御信号に応じて（ＤＪプレイに合わせて）再生出力する。制御部１１は、バッファメモリ（ＲＡＭ）が空にならないように、第２のモータ駆動部９及びトラバースモータ駆動部２３に駆動指令を送る。
【００６２】
次に、図４〜図１３を用いて、特性変更部１２のＲＩＡＡ特性処理部１３及びエフェクト処理部１４の構成及び詳細な動作について説明する。
【００６３】
図４は、ＲＩＡＡ特性処理部１３の詳細な構成を示すブロック図である。図４において、ＲＩＡＡ特性処理部１３は、第１の係数決定部４１、第１の係数設定部４２、第１のデジタルフィルタ４３、第２のデジタルフィルタ４４、第３のデジタルフィルタ４５、及び出力ゲイン調整部４６を有する。
【００６４】
第１の係数決定部４１は、制御部１１からエフェクト有効／無効信号及びテンポ信号を入力し、各デジタルフィルタ４３〜４５の係数値及び出力ゲイン調整部４６の係数値を示す係数情報を、第１の係数設定部４２に出力する。第１の係数設定部４２は、第１の係数決定部４１から入力される係数情報が変化した時に、各デジタルフィルタ４３〜４５及び出力ゲイン調整部４６の各係数を係数情報に従って書き替える。
【００６５】
第１の係数決定部４１は、入力されたエフェクト有効／無効信号が無効の場合、テンポ信号に関係なく、各デジタルフィルタ４３〜４５及び出力ゲイン調整部４６において入力信号と出力信号が同一（スルー）となるような係数情報を出力する。また、エフェクト有効／無効信号が有効の場合、入力されるテンポ信号の値が変更される毎に、テンポ信号に応じて所定の演算を行い、各係数情報を決定して出力する。この演算は、アナログレコードの回転速度を変化させた時にアナログレコードプレーヤが出力するようなスクラッチ音と同様の周波数対ゲイン特性を持つように、予めプログラムされている。
【００６６】
本実施の形態において第１の係数決定部４１は、ＲＩＡＡ（Recording Industry Association of America：全米レコード協会）規格のイコライジング特性である第１の周波数対ゲイン特性と、ＲＩＡＡ規格のイコライジング特性の逆特性である第２の周波数対ゲイン特性とを記憶する。いずれか一方のみを記憶し、それから他方を演算により導出しても良い。
第１の周波数対ゲイン特性及び第２の周波数対ゲイン特性は、それぞれ平坦でなく且つ２つの特性を合成した周波数対ゲイン特性は平坦である。
【００６７】
第１の係数決定部４１は、記録時に音声信号を第１の周波数対ゲイン特性でイコライジングし、更に再生時に記録時と較べて周波数が無負荷時の回転数に対するターンテーブル１７の現在の回転数の比だけ変化した音声信号を、第２の周波数対ゲイン特性でイコライジングした場合に、再生された音声信号が受けた記録及び再生のイコライジングを合成した周波数対ゲイン特性と同一の特性を実現する係数情報を算出する。ＲＩＡＡ特性処理部１３は、この周波数対ゲイン特性で音声信号の特性変更処理を施す。再生された音声信号が受けた記録及び再生のイコライジングを合成した周波数対ゲイン特性は、例えば図１２及び図１３に示す特性である。
【００６８】
テンポ信号が標準の回転速度を示す場合、各デジタルフィルタ４３〜４５及び出力ゲイン調整部４６においてスルーとなる係数情報を出力する。
【００６９】
図５は、各デジタルフィルタ４３〜４５、及び後述の図７における各デジタルフィルタ７３〜７５の具体的な構成を示す図である。図５において、デジタルフィルタ４３〜４５及びデジタルフィルタ７３〜７５は、それぞれ３個の増幅器を有し、各増幅器は可変の係数を持つ。第１の係数設定部４２（又は後述する第２の係数設定部７２）から入力される係数情報に従って各係数を変更することにより、入力された音声信号のフィルタリング特性（周波数対ゲイン特性）が変化する。
【００７０】
図６は、出力ゲイン調整部４６の具体的な構成を示す図である。図６において、出力ゲイン調整部４６は、可変の係数（増幅率）を有する増幅器を有する。係数を変更することにより、入力された信号に対して、全周波数帯域でゲインを加減する。
【００７１】
アナログレコードにおいては、録音時に、ゲインが周波数帯域の低域部分では小さく高域部分では大きい周波数対ゲイン特性（図１０のＡ）で音声信号をイコライジングして記録する。この録音時の周波数対ゲイン特性は、「ＲＩＡＡ特性」（図１０のＡ参照）と呼ばれ、ＲＩＡＡ（Recording Industry Association of America：全米レコード協会）規格により統一されている。また再生時に、ゲインが周波数帯域の低域部分では大きく高域部分では小さい周波数対ゲイン特性（「ＲＩＡＡ特性の逆特性」、図１０のＢ）で音声信号をイコライジングして再生している。記録用周波数対ゲイン特性と再生用周波数対ゲイン特性とを合成した周波数対ゲイン特性は、平坦である（周波数に対してゲインが一定）。
【００７２】
アナログレコードプレーヤにおいて、アナログレコードの回転速度が標準速度（記録された信号が元の周波数で再生される速度）である場合は、上記のように音源が記録用イコライジング及び再生用イコライジングによって平坦な周波数対ゲイン特性でそのまま復元されて再生される。しかし、ＲＩＡＡ特性は周波数によって異なるゲイン特性を有する故に、アナログレコードの回転速度が標準速度より早い又は遅い場合は、ＲＩＡＡ特性とＲＩＡＡ特性の逆特性とを合成した周波数対ゲイン特性は平坦でなく、ＲＩＡＡ特性の逆特性でイコライジングした音声再生信号は、音源と異なる周波数スペクトルを有する。
【００７３】
ここで、各デジタルフィルタ４３〜４５及び出力ゲイン調整部４６における動作の一例として、ターンテーブル１７の回転速度が標準速度の２倍である場合を例に取って説明する。
【００７４】
アナログレコードの回転速度が標準速度の２倍の時について考える。アナログレコードの回転速度が２倍になると、再生速度は２倍となり、再生信号の周波数は音源の周波数に比べて１オクターブ高くなる。例えば、図１０において、音源のうち５０Ｈｚの音（点Ｐ１）は、２倍の回転速度で再生された場合、１００Ｈｚとなり（点Ｐ１’）、標準速度での再生時に比べて周波数対ゲイン特性変更分のレベルが６ｄＢ低くなる。図１１（ａ）に、再生信号の周波数（音源の周波数の２倍）を横軸とした場合の、記録時及び再生時の周波数対ゲイン特性変更のグラフＣ及びＢを示す。なお、横軸の下の括弧付きの数字は、対応する記録時の周波数を示す。図１２は、再生速度が２倍の時にアナログレコードプレーヤが出力する再生信号の周波数対ゲイン特性（図１１（ａ）におけるＣとＢとの差分）を示す。図１２において、２倍の速度で再生された５００Ｈｚ〜４２４０Ｈｚの音声信号は、１００Ｈｚ〜５００Ｈｚの音声信号と比較して最大６ｄＢ強調される。なお、ターンテーブルの回転速度が標準速度の２倍である場合、出力ゲイン調整部４６のゲインが６ｄＢに設定されている故に、図１２に示すゲインはＲＩＡＡの記録イコライザと再生イコライザとを合成した値より６ｄＢ高い。
【００７５】
ＲＩＡＡ特性処理部１３は、３つのデジタルフィルタ４３〜４５を例えば下記の様に設定して、図１２に示す周波数対ゲイン特性を実現する。
第１のデジタルフィルタ４３は、低域通過フィルタに設定される。第１のデジタルフィルタ４３の周波数対ゲイン特性は、５０Ｈｚ以下においてゲインが０ｄＢで、５０Ｈｚ〜１００Ｈｚにおいてゲインが−６ｄＢ／ｏｃｔでリニアに減少し、１００Ｈｚ以上でゲインが−６ｄＢで一定になる様に設定される。
【００７６】
第２のデジタルフィルタ４４は、高域通過フィルタに設定される。第２のデジタルフィルタ４４の周波数対ゲイン特性は、５００Ｈｚ以下においてゲインが０ｄＢで、５００Ｈｚ〜１０００Ｈｚにおいてゲインが６ｄＢ／ｏｃｔでリニアに増大し、１０００Ｈｚ以上でゲインが６ｄＢで一定になる様に設定される。
【００７７】
第３のデジタルフィルタ４５は、低域通過フィルタに設定される。第３のデジタルフィルタ４５の周波数対ゲイン特性は、２１２０Ｈｚ以下においてゲインが０ｄＢで、２１２０Ｈｚ〜４２４０Ｈｚにおいてゲインが−６ｄＢ／ｏｃｔでリニアに減少し、４２４０Ｈｚ以上でゲインが−６ｄＢで一定になる様に設定される。
ＲＩＡＡ特性処理部１３は、入力された音声信号に３つのデジタルフィルタ４３〜４５によるフィルタリング処理を施した後、出力ゲイン調整部４６に出力する。
【００７８】
出力ゲイン調整部４６は、第３のデジタルフィルタ４５から入力された音声信号の周波数帯域全体についてゲインを６ｄＢ上げるように周波数対ゲイン特性を変更して出力する。
【００７９】
図４の各デジタルフィルタ４３〜４５及び出力ゲイン調整部４６の周波数対ゲイン特性を合成した特性は、図１２に示されるアナログレコードプレーヤで回転速度を２倍とした時の周波数対ゲイン特性と一致する。
【００８０】
アナログレコードの回転速度が標準速度の１／２倍になると、再生速度は１／２倍となり、再生信号の周波数は音源の周波数に比べて１オクターブ低くなる。例えば、図１０において、音源のうち５００Ｈｚの音（点Ｐ２）は、１／２倍の回転速度で再生された場合、２５０Ｈｚとなり（点Ｐ２’）、標準速度での再生時に比べて周波数対ゲイン特性変更分のレベルが６ｄＢ高くなる。図１１（ｂ）に、再生信号の周波数（音源の周波数の１／２倍）を横軸とした場合の、記録時及び再生時の周波数対ゲイン特性変更のグラフＤ及びＢを示す。なお、横軸の下の括弧付きの数字は、対応する記録時の周波数を示す。図１３は、再生速度が１／２倍の時にアナログレコードプレーヤが出力する再生信号の周波数対ゲイン特性（図１１（ｂ）におけるＤとＢとの差分）を示す。図１３において、１／２倍の速度で再生された２５Ｈｚ〜５００Ｈｚ及び１０６０Ｈｚ以上の音声信号は、５００Ｈｚ〜１０６０Ｈｚの音声信号と比較して最大６ｄＢ強調される。なお、ターンテーブルの回転速度が標準速度の１／２倍である場合、出力ゲイン調整部４６のゲインが−６ｄＢに設定されている故に、図１３に示すゲインはＲＩＡＡの記録イコライザと再生イコライザとを合成した値より６ｄＢ低い。
【００８１】
各デジタルフィルタ４３〜４５及び出力ゲイン調整部４６とに適当な係数を設定することにより、図１３に示されるアナログレコードプレーヤで回転速度を１／２倍とした時の周波数対ゲイン特性と同一の周波数対ゲイン特性を実現する。なお、ターンテーブルの回転速度が標準速度の１／２倍である場合、出力ゲイン調整部４６のゲインが−６ｄＢに設定されている故に、図１３に示すゲインはＲＩＡＡの記録イコライザと再生イコライザとを合成した値より６ｄＢ低い。
【００８２】
本発明の再生装置は、一組のデジタルフィルタの係数を変更することによってアナログレコードプレーヤでＤＪプレイしたのと同様の効果を実現する故に、フィルタをソフトウエアで実現する場合に処理時間が短く、フィルタをハードウエアで実現する場合に安価である。
【００８３】
次に、エフェクト処理部１４の動作について説明する。図７は、エフェクト処理部１４の詳細な構成を示すブロック図である。エフェクト処理部１４は、第２の係数決定部７１、第２の係数設定部７２、第４のデジタルフィルタ７３、第５のデジタルフィルタ７４、第６のデジタルフィルタ７５、係数記憶部７６、効果音発生部７７、第７のデジタルフィルタ７８及び加算器７９を有する。
エフェクト処理部１４は、ＲＩＡＡ特性処理部１３から、適切なＲＩＡＡ特性処理を行った後の音声信号を入力し、制御部１１から操作入力部５の入力キーによる入力に応じたエフェクトタイプ信号、エフェクト有効／無効信号、及びテンポ信号を入力する。
【００８４】
第２の係数決定部７１は、制御部１１からエフェクト有効／無効信号、エフェクトタイプ及びテンポ信号を入力し、各デジタルフィルタ７３〜７５、７８の係数値の係数情報を第２の係数設定部７２に出力し、効果音発生部７７に効果音選択指令を出力する。
【００８５】
入力されたエフェクト有効／無効信号が無効を示す場合、エフェクト処理部１４は、音声信号をそのまま出力する。第２の係数決定部７１は、入力されたエフェクトタイプに関係なく、各デジタルフィルタ７３〜７５においてスルーとなる係数情報を第２の係数設定部７２に出力する。効果音発生部７７は信号を出力しない。入力されたエフェクト有効／無効信号が有効を示す場合、エフェクト処理部１４は、入力されたエフェクトタイプ信号に応じて、音声信号にエフェクト処理を行って出力する。第２の係数決定部７１は、入力されたエフェクトタイプに対応する係数情報を係数記憶部７６から読み出して第２の係数設定部７２に出力する。いずれかの効果音を音声信号に追加するエフェクトタイプが選択された場合、第２の係数決定部７１は、効果音発生部７７にその効果音を出力するよう指令する。
【００８６】
第２の係数設定部７２は、第２の係数決定部７１から入力される係数情報が変化する度に、デジタルフィルタ７３〜７５、７８の係数を係数情報に従って各々書き替える。
係数記憶部７６は、エフェクトタイプ１〜８を実現するための各デジタルフィルタ７３〜７５、７８の係数を記憶する。デジタルフィルタ７３〜７５、７８の係数が変更されると、それに応じて各々の周波数対ゲイン特性が変わる。
デジタルフィルタ７３〜７５は、図５の構成を有する。
【００８７】
効果音発生部７７は、種々の効果音を発生することができる。効果音発生部７７は、第２の係数決定部が入力されたエフェクトタイプ信号に応じて出力する効果音選択指令に応じて、効果音を発生する。
第７のデジタルフィルタ７８は、第４〜６のデジタルフィルタ７３〜７５を合わせた回路と同一の回路である。第７のデジタルフィルタ７８は、効果音発生部７７が出力する効果音を、ターンテーブル１７の回転速度に応じてフィルタリングする。
加算器７９は、第４〜第６のデジタルフィルタ７３〜７５を通過した音声信号と、第７のデジタルフィルタ７８を通過した効果音と、を加算して出力する。
【００８８】
図８に、エフェクト処理部１４によって施されるエフェクトの一例を示す。図８において、横軸はターンテーブル１７の回転速度を示し、縦軸はデジタルフィルタのゲインを示す。原点から右に遠ざかるほど、ターンテーブル１７は標準速度より加速される。即ち速い正回転になる。原点から左に遠ざかるほど、ターンテーブル１７は標準速度より減速される。即ち、ターンテーブル１７は標準速度の正回転から停止に向い、更に高速で逆回転する方向に進む。
【００８９】
図８（ａ）は、タイプ２の「Ｏｎｅ Ｗａｙ」と呼ばれるエフェクトが選択された場合の第４〜第６のデジタルフィルタ７３〜７５を合わせたゲイン特性を示し、横軸において原点はターンテーブルの回転が停止している状態である。ターンテーブルの回転方向が正方向であるか、負方向であるかに応じて、音声の出力レベルを１００％と０％とで非線形に切り替える。つまり、ターンテーブル１７が順方向に操作される場合は、音声信号が出力されるが、ターンテーブル１７が逆方向に操作される場合は、音声信号はミュートされ、出力されない。この場合、効果音発生部７７は何も出力しない。
これにより、従来はディスクジョッキー（ＤＪ）が、アナログレコードプレーヤを操作すると共にミキサをも同時に操作することによって得られる、順方向操作時だけの音声出力制御を容易に実現できる。
【００９０】
図８（ｂ）は、タイプ３の「Ｐａｎｐｏｔ」と呼ばれるエフェクトが選択された場合の第４〜第６のデジタルフィルタ７３〜７５を合わせたゲイン特性を示し、横軸において原点はターンテーブルの回転が標準速度である状態である。図８（ｂ）の左のグラフは、第４〜第６のデジタルフィルタ７３〜７５が右チャンネル音声信号を増幅するゲインを示し、図８（ｂ）の右のグラフは、第４〜第６のデジタルフィルタ７３〜７５と同一の構成を有する他のデジタルフィルタ（図示しない）が左チャンネル音声信号を増幅するゲインを示す。
【００９１】
ＤＪがターンテーブル１７を加速し又は減速することに応じて、エフェクト処理部１４は右チャンネル音声信号と左チャンネル音声信号の出力レベル比を変更する。つまり、ターンテーブル１７が加速されると、エフェクト処理部１４は右チャンネル音声信号のみを出力する。また、加速の度合いに応じて、音声信号の出力レベルが変化する。また、ターンテーブルが減速されると、エフェクト処理部１４は右チャンネル音声信号のみを出力する。また、減速の度合いに応じて音声信号の出力レベルが変化する。これにより、ターンテーブル１７を加速すると音の定位が右側に移動し、またターンテーブル１７を減速すると左側に移動する、いわゆるパンポット効果が得られる。この場合、効果音発生部７７は何も出力しない。
【００９２】
図８の（ｃ）は、音声信号に、アナログレコードのノイズを付加するタイプ４のエフェクトであり、横軸において原点はターンテーブルの回転が標準速度である状態である。通常、アナログレコードプレーヤーでアナログレコードを再生すると、針とレコード盤面の擦れにより「プチプチ」という微小なノイズ音が発生する。このノイズを付加し、またターンテーブルの回転速度に応じて、ノイズの付加レベルを変化することによって、あたかもアナログレコードを再生しているかのような音質が得られる。効果音発生部７７は、「プチプチ」という効果音を出力する。第７のデジタルフィルタ７８は、ターンテーブル１７の回転速度に比例したゲインを有する。
【００９３】
図８において示した例においては、各デジタルフィルタは平坦な周波数対ゲイン特性に設定されたが、他の所定のエフェクトタイプが選択された場合、デジタルフィルタはターンテーブル１７の回転速度に応じて変化する周波数対ゲイン特性を有する。
【００９４】
なお、タイプ１のエフェクトが選択された場合、特性変更部１２はＲＩＡＡ特性処理のみを施した音声信号を出力する。この場合、エフェクト処理部１４において、入力された音声信号がそのまま出力される。また、上記した音量制御、バランス制御、ノイズ付加等のエフェクトの他、エフェクトタイプ信号及びテンポ信号に応じて追加する音の種類や、パラメータ係数などを選択することによって、音声信号の周波数対ゲイン特性を変更し又はフィルタリングを行う変換アルゴリズムを実行し、周波数の広域化、歪み効果、ワウ効果、残響効果等、様々なエフェクト音加工または音追加をも実現することもできる。
【００９５】
以上のように、エフェクト処理部１４によって、通常ミキサによって行われる音量調節やバランス調節等を、ターンテーブルの回転速度の変化及び回転方向によって実現している。次に、図１４及び図１５を用いて、以上のように構成された本発明の再生装置の動作について説明する。
【００９６】
図１４は、本発明の再生装置の一連の動作を示すフローチャートである。また、図１５のフローチャートは、図１４に示すフローチャートの続きを示す。
【００９７】
まず、第２のモータの回転を開始し（Ｓ１４０１）、記録媒体７からトラック情報を読み出す（Ｓ１４０２）。識別ＩＤ算出部１５は、読み出したトラック情報から識別ＩＤを算出し（Ｓ１４０３）、それと同一の識別ＩＤを、記憶部１６のテーブルにおいて検索する（Ｓ１４０４）。
【００９８】
次に、算出した識別ＩＤと同一の識別ＩＤが記憶部１６内のテーブルに見つかったか否かを調べる（Ｓ１４０５）。算出した識別ＩＤと同一の識別ＩＤが見つかった場合は、テーブルに記載された記憶情報に従って、エフェクトの有効／無効及びエフェクトタイプをエフェクト処理部１４に設定し（Ｓ１４０６）、Ｓ１４０９に進む。記憶部１６内のテーブルに算出した識別ＩＤと同一の識別ＩＤが見つからなかった場合は、エフェクトの有効／無効を無効に、エフェクトタイプをタイプ１に設定する（Ｓ１４０７）。記憶部１６のテーブルに、新規データとして、装着されたＣＤの識別ＩＤ、エフェクトの有効／無効、及びエフェクトタイプを追加記憶する（Ｓ１４０８）。Ｓ１４０９に進む。
、Ｓ１４０８において、テーブルの記憶容量が足りない場合は、インデックス値に基づいて、テーブルの中で最もアクセスが古い記憶情報を検索してそれを放棄し、その記録領域に新たな記憶情報を上書き記録する。
【００９９】
次に、再生装置内に挿入された記憶媒体７の識別ＩＤに対応するテーブルのインデックス値を「０」にし、テーブル内においてそれ以外の識別ＩＤに対応する全てのインデックス値に「１」を加算する（Ｓ１４０９）。
【０１００】
次に、操作者がエフェクト処理部１４の設定変更を指示したか否かを判断する（Ｓ１４１０）。操作者がエフェクト処理部１４の設定変更を指示していなければ、図１５のＳ１５０１に進む。操作者がエフェクト処理部１４の設定変更を指示していれば、制御部１１は、エフェクト処理部１４の設定を変更する（Ｓ１４１１）。制御部１１は、記憶部１６内のテーブルの記憶情報を変更する（Ｓ１４１２）。図１５のＳ１５０１に進む。
【０１０１】
続いて図１５を参照する。次に、第１のモータの回転を開始する（Ｓ１５０１）。この時、第１のモータ及び第２のモータの回転速度は同じである必要はない。ドライブユニット１０は、記録媒体７から音声信号を読み出す（Ｓ１５０２）。
【０１０２】
次に、エフェクトが無効であるか否かを調べ（Ｓ１５０３）、無効であれば記録媒体７から読み取った音声信号をそのまま出力する（Ｓ１５０４）。無効でなければ（有効であれば）、ＲＩＡＡ特性処理部１３は、ターンテーブル１７の回転速度に応じて再生音声信号に対してＲＩＡＡ特性に基く周波数対ゲイン特性変更処理を実行する（Ｓ１５０４）。
【０１０３】
更に、エフェクトタイプがタイプ１であるか否かを調べ（Ｓ１５０５）、タイプ１であれば音声信号をそのまま出力する（Ｓ１５０７）。タイプ１でなければ、選択されたタイプ２〜タイプ８のうちのいずれかのエフェクトタイプに基く処理を実行し（Ｓ１５０６）、音声信号を出力する（Ｓ１５０７）。
【０１０４】
以上のように、本発明の再生装置は、自走するターンテーブル１７をディスクジョッキー（ＤＪ）等のユーザが回転力及び押圧力を与えることによって操作することを可能とし、これにより、あたかもアナログレコードプレーヤであるかのような操作感を得ることが出来、アナログレコードでの演奏に慣れ親しんだユーザを満足させるものである。
【０１０５】
更に、本発明の再生装置は、ミキサによる音声信号（及び他の効果音）の音量調節及びバランス調節や、アナログレコードのノイズ音を付加すること等の、様々な効果を、ユーザのターンテーブルの操作に対応して選択、付加することができる。また、エフェクト処理を無効にしたり、エフェクトタイプを切り替えることができるため、曲の特徴やユーザの好みに応じて柔軟に対応することが可能である。
【０１０６】
更に、本発明の再生装置は、エフェクトの有効／無効及びエフェクトタイプは、記録媒体に固有の識別ＩＤ毎に記憶部に記憶され、再生装置が次に同じ識別ＩＤを有する記録媒体を認識した時は、前回の設定情報を読み込む。これにより、過去に再生した記録媒体を次に再生する場合にエフェクトタイプの設定を行う必要がない。
【０１０７】
なお、本実施の形態では、円盤状の記録媒体に記憶されているデータを再生する場合を例にとって説明したが、本発明の構成はＣＤやＤＶＤ等の円盤状の記録媒体に限定するものではなく、例えばＳＤメモリカードやハードディスクに記憶されている音声情報を再生する場合にも適用可能である。
【０１０８】
通常、信号再生部１０が記録媒体７から音声信号を読み出す速度に比例して、音声信号の周波数も変化する。これに代えて、ターンテーブルの回転速度に比例した速度で音声信号を再生しつつ、記録媒体７から読み出した音声信号を補間処理して、音声信号の周波数が原音と変わらないようにしても良い。
【０１０９】
また、本実施の形態では、ターンテーブルは標準速度で自走するとしたが、この「標準速度」は、別の操作子などによって可変する構成としても良い。
【産業上の利用可能性】
【０１１０】
本発明は、例えば、ＣＤやＤＶＤ等のストレージ媒体に記録されたデジタル音声信号を再生し、かつ、アナログレコードプレーヤと同様の操作感覚で演奏可能なＤＪ（ディスクジョッキー）用機器に利用することができる。
【図面の簡単な説明】
【０１１１】
【図１】本発明の実施の形態における再生装置の構成の概略を示すブロック図
【図２】本発明の実施の形態における再生装置のターンテーブルの概略的な平面図及び正面図
【図３】本発明の実施の形態における再生装置の回転速度検出部の構成の詳細を示すブロック図
【図４】本発明の実施の形態における再生装置のＲＩＡＡ特性処理部の構成の詳細を示すブロック図
【図５】本発明の実施の形態における再生装置のデジタルフィルタの構成の詳細を示すブロック図
【図６】本発明の実施の形態における再生装置の出力ゲイン調整部の構成の詳細を示すブロック図
【図７】本発明の実施の形態における再生装置のエフェクト処理部の構成の詳細を示すブロック図
【図８】本発明の実施の形態における再生装置のエフェクトタイプの一例を示す表
【図９】本発明の実施の形態における、記憶部で記憶される識別ＩＤ毎のエフェクトタイプ及びインデックス値の例を示す表
【図１０】再生速度が標準速度の時の記録時及び再生時の周波数対ゲイン特性変更を示す図
【図１１】（ａ）再生速度が２倍の時の記録時及び再生時の周波数対ゲイン特性変更を示す図  （ｂ）再生速度が１／２倍の時の記録時及び再生時の周波数対ゲイン特性変更を示す図
【図１２】再生速度が２倍の時の周波数対ゲイン特性変更を示す図
【図１３】再生速度が１／２倍の時の周波数対ゲイン特性変更を示す図
【図１４】本発明の実施の形態の再生装置のエフェクト設定方法を説明するフローチャート
【図１５】本発明の実施の形態における特性変更部による音声信号の処理方法を説明するフローチャート
【符号の説明】
【０１１２】
１  操作入力表示部
２  再生部
３  ターンテーブル回転検知部
４  音声出力部
５  操作入力部
６  表示部
７  記録媒体
８  第２のモータ
９  第２のモータ制御部
１０  ドライブユニット
１１  制御部
１２  特性変更部
１３  ＲＩＡＡ特性処理部
１４  エフェクト処理部
１５  識別ＩＤ算出部
１６  記憶部
１７  ターンテーブル
１８  第１のモータ
１９  第１のモータ制御部
２０  回転速度検出部
２１  テンポ算出部
２２  光ピックアップ
２３  トラバースモータ駆動部
２４  トラバースモータ
２５  スリップ面
３０  光センサ
３１  パルスカウンタ
【図１】
2005346773.tif 000003
【図２】
2005346773.tif 000004
【図３】
2005346773.tif 000005
【図４】
2005346773.tif 000006
【図５】
2005346773.tif 000007
【図６】
2005346773.tif 000008
【図７】
2005346773.tif 000009
【図８】
2005346773.tif 000010
【図９】
2005346773.tif 000011
【図１０】
2005346773.tif 000012
【図１１】
2005346773.tif 000013
【図１２】
2005346773.tif 000014
【図１３】
2005346773.tif 000015
【図１４】
2005346773.tif 000016
【図１５】
2005346773.tif 000017